(57)【要約】【課題】汎用ネットワークおよび専用ネットワークのいずれにも接続することのできる監視端末装置およびこの監視端末装置を備える照明制御システムを提供する。【解決手段】監視端末装置３は、汎用ネットワーク８との間でデータのインターフェースを取る機能を有する中央制御装置２に接続されている伝送線４との間でデータ送受を行う伝送線通信インターフェース部１９と、汎用ネットワーク８との間でデータ送受を行う汎用ネットワーク通信インターフェース部２０とを具備し、少なくとも伝送線通信インターフェース部１９および汎用ネットワーク通信インターフェース部２０のいずれか一方がそれぞれ伝送線４および汎用ネットワーク８に接続される。【選択図】図１
2006094223.tif 000002
【特許請求の範囲】
【請求項１】
伝送線を介して複数の監視端末器および複数の制御端末器を接続しているとともに、所定の通信プロトコルに基づいてデータ伝送を行う汎用ネットワークに接続され、汎用ネットワークとの間でデータのインターフェースを取る機能を有する中央制御装置に接続されている前記伝送線との間でデータ送受を行う伝送線通信インターフェース部と；
前記汎用ネットワークとの間でデータ送受を行う汎用ネットワーク通信インターフェース部と；
制御端末器の監視データに基づいて制御端末器の動作状態を表示する表示部と；
制御端末器の動作状態の変更を入力する入力部と；
入力部からの変更信号を前記伝送線および前記汎用ネットワークにて伝送させる制御データに演算して、それぞれ伝送線通信インターフェース部および汎用ネットワーク通信インターフェース部から伝送させるように制御する制御部と；
を具備していることを特徴とする監視端末装置。
【請求項２】
伝送線を介して複数の監視端末器および複数の制御端末器を接続しているとともに、所定の通信プロトコルに基づいてデータ伝送を行う汎用ネットワークに接続され、汎用ネットワークとの間でデータのインターフェースを取る機能を有する中央制御装置と；
伝送線との間でデータ送受を行う伝送線通信インターフェース部、汎用ネットワークとの間でデータ送受を行う汎用ネットワーク通信インターフェース部、制御端末器の監視データに基づいて制御端末器の動作状態を表示する表示部、制御端末器の動作状態の変更を入力する入力部および入力部からの変更信号を伝送線および汎用ネットワークにて伝送させる制御データに演算して、それぞれ伝送線通信インターフェース部および汎用ネットワーク通信インターフェース部から伝送させるように制御する制御部を有してなり、少なくとも伝送線通信インターフェース部および汎用ネットワーク通信インターフェース部のいずれか一方がそれぞれ伝送線および汎用ネットワークに接続されている監視端末装置と；
を具備していることを特徴とする照明制御システム。
【請求項３】
監視端末装置は、プログラムを格納する記憶部を具備し、汎用ネットワークに接続されたプログラムダウンロード機能を有する機器よりプログラムをダウンロードして記憶部に記憶することを特徴とする請求項２記載の照明制御システム。
【発明の詳細な説明】
【技術分野】
【０００１】
本発明は、屋内外の照明制御および監視を行う監視端末装置および照明制御システムに関する。
【背景技術】
【０００２】
近年、汎用ネットワークを介して遠隔地の照明器具の制御や動作状態を監視するネットワーク対応形照明制御システムが提案されている。例えば、建物内の各照明器具の制御および状態表示を行う照明コントローラがイーサーネット（登録商標）に接続され、このイーサーネットに照明器具の制御および状態表示などを行う遠隔モニタ（監視端末装置）が接続された照明制御システムが提案されている（特許文献１参照。）。
【特許文献１】特開２０００−３４０３７２号公報（第４頁、第１図）
【発明の開示】
【発明が解決しようとする課題】
【０００３】
特許文献１の照明制御システムは、遠隔モニタがイーサーネットの接続しやすい箇所で必ずしも接続されるものではなく、遠隔モニタの設置場所によっては、イーサーネットに接続するためにハブ（ＨＵＢ）が必要になるという問題がある。
【０００４】
また、遠隔モニタを照明コントローラと照明器具を接続している伝送線（専用ネットワーク）に接続できるにも関わらず、イーサーネットに接続して使用すると、イーサーネットのトラフィック量を増加させるという欠点を有する。
【０００５】
本発明は、汎用ネットワークおよび専用ネットワークのいずれにも接続することのできる監視端末装置およびこの監視端末装置を備える照明制御システムを提供することを目的とする。
【課題を解決するための手段】
【０００６】
請求項１に記載の監視端末装置は、伝送線を介して複数の監視端末器および複数の制御端末器を接続しているとともに、所定の通信プロトコルに基づいてデータ伝送を行う汎用ネットワークに接続され、汎用ネットワークとの間でデータのインターフェースを取る機能を有する中央制御装置に接続されている前記伝送線との間でデータ送受を行う伝送線通信インターフェース部と；前記汎用ネットワークとの間でデータ送受を行う汎用ネットワーク通信インターフェース部と；制御端末器の監視データに基づいて制御端末器の動作状態を表示する表示部と；制御端末器の動作状態の変更を入力する入力部と；入力部からの変更信号を前記伝送線および前記汎用ネットワークにて伝送させる制御データに演算して、それぞれ伝送線通信インターフェース部および汎用ネットワーク通信インターフェース部から伝送させるように制御する制御部と；を具備していることを特徴とする。
【０００７】
監視端末器は、壁などに設置された操作スイッチまたは天井面などに配設された照度センサや人感センサなどを有した端末であり、それらの検出信号を中央制御装置に送信するように構成されている。また、制御端末器は、蛍光ランプなどの照明負荷が接続され、中央制御装置からの制御信号を受信して照明負荷に対してその制御内容に応じた制御動作を行うように構成されている。
【０００８】
本発明によれば、監視端末装置は、伝送線通信インターフェース部を伝送線に接続することにより伝送線に接続され、汎用ネットワーク通信インターフェース部を汎用ネットワークに接続することにより汎用ネットワークに接続され、伝送線または汎用ネットワークのいずれからでも制御端末器の制御、監視が行える。
【０００９】
請求項２に記載の照明制御システムは、伝送線を介して複数の監視端末器および複数の制御端末器を接続しているとともに、所定の通信プロトコルに基づいてデータ伝送を行う汎用ネットワークに接続され、汎用ネットワークとの間でデータのインターフェースを取る機能を有する中央制御装置と；伝送線との間でデータ送受を行う伝送線通信インターフェース部、汎用ネットワークとの間でデータ送受を行う汎用ネットワーク通信インターフェース部、制御端末器の監視データに基づいて制御端末器の動作状態を表示する表示部、制御端末器の動作状態の変更を入力する入力部および入力部からの変更信号を伝送線および汎用ネットワークにて伝送させる制御データに演算して、それぞれ伝送線通信インターフェース部および汎用ネットワーク通信インターフェース部から伝送させるように制御する制御部を有してなり、少なくとも伝送線通信インターフェース部および汎用ネットワーク通信インターフェース部のいずれか一方がそれぞれ伝送線および汎用ネットワークに接続されている監視端末装置と；を具備していることを特徴とする。
【００１０】
本発明によれば、伝送線通信インターフェース部を伝送線に接続し、汎用ネットワーク通信インターフェース部を汎用ネットワークに接続することにより、制御端末器の制御、監視が行える監視端末装置を伝送線および汎用ネットワークの一方または両方に接続することのできる照明制御システムが提供される。
【００１１】
請求項３に記載の照明制御システムは、請求項２記載の照明制御システムにおいて、監視端末装置は、プログラムを格納する記憶部を具備し、汎用ネットワークに接続されたプログラムダウンロード機能を有する機器よりプログラムをダウンロードして記憶部に記憶することを特徴とする。
【００１２】
本発明によれば、監視端末装置は、プログラムダウンロード機能を有する機器よりプログラムをダウンロードすることにより、新たな動作が追加され、または全ての動作の変更が行える。
【発明の効果】
【００１３】
請求項１の発明によれば、監視端末装置は、伝送線との間でデータ送受を行う伝送線通信インターフェース部および汎用ネットワークとの間でデータ送受を行う汎用ネットワーク通信インターフェース部を具備するので、伝送線および汎用ネットワークのいずれにも接続することができて、制御端末器の制御、監視を行うことができる。
【００１４】
請求項２の発明によれば、監視端末装置を伝送線または汎用ネットワークに接続することができるので、照明制御システムにおける監視端末装置を設置する場所の制限を緩和することができる。そして、監視端末装置を伝送線または汎用ネットワークのいずれにも接続可能であるときに、伝送線に接続することにより、汎用ネットワークのトラフィック量を増加させることを防止することができる。
【００１５】
請求項３の発明によれば、監視端末装置は、プログラムダウンロード機能を有する機器よりプログラムをダウンロードして記憶部に格納することにより、新たな動作を追加することができ、または全ての動作の変更をすることができる。
【発明を実施するための最良の形態】
【００１６】
以下、本発明の第１の実施形態について図面を参照して説明する。まず、本発明の第１の実施形態について説明する。
【００１７】
図１〜図３は、本発明の第１の実施形態を示し、図１は照明制御システムの構成ブロック図、図２は中央制御装置の構成ブロック図、図３は監視端末装置の構成ブロック図である。
【００１８】
図１において、照明制御システム１は、複数の中央制御装置２および監視端末装置３を有して構成されている。各中央制御装置２は、例えば建物の階層毎に一台設置され、それぞれ伝送線４を介して複数の監視端末器５，６および複数の制御端末器７を接続しているとともに、汎用ネットワーク８のケーブル９およびハブ１０に接続されている。複数の中央制御装置２は、汎用ネットワーク８を介して互いに接続されているので、複数の監視端末器５，６および複数の制御端末器７を接続しているそれぞれの伝送線４は、ローカルネットワーク（専用ネットワーク）１１を形成している。
【００１９】
伝送線４は、複極（±２４Ｖ）の時分割多重信号で示されたデータを送受信する伝送線である。汎用ネットワーク８は、所定の通信プロトコルに基づいてデータ伝送を行うイーサーネット（登録商標）に形成されている。また、ハブ１０は、汎用ネットワーク８のケーブル９を集中して接続する集線装置である。
【００２０】
監視端末器５は、例えば、オンオフ操作に応じて出力信号を生成する信号出力機能を備えた壁スイッチである。また、監視端末器６は、光センサ１２の検出信号に応じて出力信号を生成する信号出力機能を備えたセンサ入力用端末器等であり、調光制御機能を有する監視端末器も包含される。そして、監視端末器５，６は、生成した出力信号を中央制御装置２に伝送線４にて送信するように構成されている。また、制御端末器７は、中央制御装置２から送信された制御信号を受信して、その制御信号に応じて照明器具１３に配設されている照明用ランプ（照明負荷）１４を点消灯制御するように構成されている。制御端末器７は、点消灯制御する端末器の他に、調光制御機能を有する制御端末器も包含する。
【００２１】
そして、中央制御装置２は、システム全体を統括管理するものであり、図２に示すように、伝送線伝送インターフェース（Ｉ／Ｆ）部１５、汎用ネットワーク伝送インターフェース（Ｉ／Ｆ）部１６、制御部１７および記憶部１８を有して構成されている。
【００２２】
伝送線伝送Ｉ／Ｆ部１５は、伝送線４に接続され、伝送線４との間でデータ送受を行うように構成されている。また、汎用ネットワーク伝送Ｉ／Ｆ部１６は、汎用ネットワーク８のケーブル９に接続され、所定の通信プロトコルにより、汎用ネットワーク８との間でデータ送受を行うように構成されている。
【００２３】
制御部１７は、データ変換や演算などを行うＣＰＵ（中央処理装置）、プログラムが格納されているＲＯＭおよび各種データが格納されているＲＡＭを有して構成されている。そして、汎用ネットワーク伝送Ｉ／Ｆ部１６が受信した伝送データを伝送線４にて伝送し、監視端末器５，６および制御端末器７を制御監視可能な伝送フォーマットに変換するとともに、伝送線伝送Ｉ／Ｆ部１５が受信した送信データを汎用ネットワーク８にて伝送可能な伝送フォーマットに変換するように構成されている。すなわち、中央処理装置２は、汎用ネットワーク８との間でデータのインターフェースをとる機能を有している。伝送データは、伝送データの始まりを示すスタート部、制御や監視などを示すモード部、監視端末器５，６および制御端末器７の伝送先を示すアドレス部、制御値を示す制御データ部および監視応答値を示す応答データ部などを有して形成されている。
【００２４】
そして、制御部１７は、制御端末器７の動作状態を示す監視データを定期的に記憶部１８に記憶させるように構成されている。すなわち、照明器具１３に配設されている照明用ランプ１４の点消灯状態が記憶部１８に記憶されている。
【００２５】
記憶部１８は、中央処理装置２のアドレス、伝送線４に接続されている監視端末器５，６および制御端末器７のアドレスなどの他、制御端末器７の監視データなどを記憶している。
【００２６】
そして、監視端末装置３は、伝送線４に接続され、またはケーブル９によりハブ１０に接続されて汎用ネットワーク８に接続されている。
【００２７】
監視端末装置３は、図３に示すように、伝送線通信インターフェース（Ｉ／Ｆ）部１９、汎用ネットワーク通信インターフェース（Ｉ／Ｆ）部２０、表示部２１、入力部２２、制御部２３および記憶部２４を有して構成されている。
【００２８】
伝送線通信Ｉ／Ｆ部１９は、伝送線４に接続され、伝送線４との間でデータ送受を行うように構成されている。また、汎用ネットワーク通信Ｉ／Ｆ部２０は、汎用ネットワーク８のケーブル９に接続され、所定の通信プロトコルにより、汎用ネットワーク８との間でデータ送受を行うように構成されている。
【００２９】
表示部２１は、監視端末装置３の表示画面２５に制御端末器７の動作状態、すなわち照明用ランプ１４の点消灯状態を表示させるように構成されている。表示部２１の表示動作は、入力部２２の手動操作に応じた制御部２３の制御により行われ、記憶部２４に記憶されている制御端末器７の監視データに基づいて、表示画面２５にグラフィック、文字や画像などで表示される。
【００３０】
入力部２２は、例えば監視端末装置３の表示画面２５に表示されたタッチパネルからなり、表示画面２５に文字や画像などを手動操作により表示させるものである。そして、表示画面２５に表示された制御端末器７の動作状態を手動操作して、当該制御端末器７の動作状態を変更できる。表示画面２５において、制御端末器７の動作状態の変更が入力されると、入力部２２は、変更信号を制御部２３に送出するように構成されている。
【００３１】
制御部２３は、データ変換や演算などを行うＣＰＵ（中央処理装置）、プログラムが格納されているＲＯＭおよび各種データが格納されているＲＡＭを有して構成されている。そして、伝送線通信Ｉ／Ｆ部１９が受信した制御端末器７の監視データ（伝送データ）および汎用ネットワーク通信Ｉ／Ｆ部２０が受信した監視データ（伝送データ）を記憶部２４に記憶させるデータに変換して、記憶部２４に記憶させる。
【００３２】
制御端末器７の監視データは、各中央制御装置２の制御部１７から伝送線４または汎用ネットワーク８を介して監視端末装置３に定期的に送信されている。そして、制御部２３は、各中央制御装置２にそれぞれ伝送線４を介して接続している制御端末器７の動作状態を記憶部２４に記憶させている。
【００３３】
また、制御部２３は、入力部２２から送出された制御端末器７の動作状態を変更させる変更信号をデータ変換して伝送線通信Ｉ／Ｆ部１９から伝送線４に伝送させ、汎用ネットワーク通信Ｉ／Ｆ部２０から汎用ネットワーク８に伝送させるように構成されている。すなわち、入力部２２からの変更信号を伝送線４および汎用ネットワーク８にて伝送させる伝送データ（制御データ）に演算して、それぞれ伝送線通信Ｉ／Ｆ部１９および汎用ネットワーク通信Ｉ／Ｆ部２０から伝送させるように制御する。このような制御動作は、ＲＯＭに格納されているプログラムに基づいて行われている。
【００３４】
そして、制御部２３は、伝送線通信Ｉ／Ｆ部１９が伝送線４に接続されていないときには、伝送線通信Ｉ／Ｆ部１９への駆動電源の供給を停止させるように制御し、汎用ネットワーク通信Ｉ／Ｆ部２０が汎用ネットワーク８に接続されていないときには、汎用ネットワーク通信Ｉ／Ｆ部２０への駆動電源の供給を停止させるように制御している。そして、伝送線４または汎用ネットワーク８に接続されている伝送線通信Ｉ／Ｆ部１９または汎用ネットワーク通信Ｉ／Ｆ部２０に上記の伝送データを送出するように構成されている。これにより、動作していない伝送線通信Ｉ／Ｆ部１９または汎用ネットワーク通信Ｉ／Ｆ部２０の消費電力が低減され、省電力化が図られている。
【００３５】
記憶部２４は、各中央制御装置２において制御されている制御端末器７の監視データを上書きして記憶している。これにより、監視端末装置３の表示画面２５において、中央制御装置２毎に、すなわち、建物の階層毎に照明用ランプ１４の点消灯状態が表示可能となっている。
【００３６】
図１において、汎用ネットワーク８には、クライアント用パソコン（クライアントＰＣ）２６が接続されている。このクライアント用パソコン２６は、汎用ネットワーク８のみに接続され、監視端末装置３と同様に構成されており、制御端末器７などの制御、監視が行える。
【００３７】
また、汎用ネットワーク８には、プログラムダウンロード機能を有するプログラムダウンロード用機器２７が接続されている。プログラムダウンロード用機器２７は、監視端末装置３の制御要求に応じて、プログラム用伝送データを汎用ネットワーク８に送信するように構成されている。監視端末装置３の制御部２３は、汎用ネットワーク８または伝送線４からプログラム用伝送データを受信させてプログラムをダウンロードさせ、記憶部としてのＲＯＭに記憶させる。
【００３８】
次に、本発明の第１の実施形態の作用について述べる。
【００３９】
監視端末装置３は、伝送線通信Ｉ／Ｆ部１９を伝送線４に接続することにより、図１に示す監視端末装置３Ａのように、伝送線４に接続される。また、汎用ネットワーク通信Ｉ／Ｆ部２０を汎用ネットワーク８に接続することにより、監視端末装置３Ｂのように、汎用ネットワーク８に接続される。そして、監視端末装置３Ａ，３Ｂのいずれにおいても、表示画面２５での入力操作により、表示画面２５に照明用ランプ１４の点消灯状態が表示され、照明用ランプ１４の点消灯状態の変更を設定することができる。すなわち、監視端末装置３Ａ，３Ｂのいずれからでも制御端末器７の制御、監視が行える。
【００４０】
このように、監視端末装置３は、伝送線通信Ｉ／Ｆ部１９および汎用ネットワーク通信Ｉ／Ｆ部２０を具備しているので、伝送線４または汎用ネットワーク８のいずれにも接続することができる。これにより、照明制御システム１における監視端末装置３を設置する場所が制限されることが緩和される。そして、監視端末装置３が伝送線４または汎用ネットワーク８のいずれにも接続される場所に設置可能であるときに、監視端末装置３Ａのように、伝送線４に接続することにより、監視端末装置３Ａからの汎用ネットワーク８へのトラフィック量が抑制される。
【００４１】
そして、監視端末装置３は、伝送線４または汎用ネットワーク８に制御要求の信号を送信して、プログラムダウンロード用機器２７よりプログラムをダウンロードすることが可能となっている。ダウンロードしたプログラムは、記憶部（ＲＯＭ）に記憶される。これにより、新たな機能が追加することや全ての機能の変更が行える。例えば、建物の階層において、監視端末器５，６および制御端末器７の配置換えや増減あるいは廃止などがあったときに、プログラムの変更および追加が迅速に行える。
【００４２】
次に、本発明の第２の実施形態について説明する。
【００４３】
図４は、本発明の第２の実施形態を示す照明制御システムの構成ブロック図である。なお、図１と同一部分には、同一符号を付して説明は省略する。
【００４４】
図４に示す照明制御システム２８は、図１に示す照明制御システム１において、監視端末装置３が伝送線４および汎用ネットワーク８の両方に接続されているものである。
【００４５】
監視端末装置３の表示画面２５において、例えば制御端末器７の動作状態の変更が手動操作されると、制御部２３は、変更信号を演算して、伝送線通信Ｉ／Ｆ部１９から伝送線４へ、汎用ネットワーク通信Ｉ／Ｆ部２０から汎用ネットワーク８へ、それぞれの伝送データを送信させる。それらの伝送データは、伝送線４から中央制御装置２の伝送線伝送Ｉ／Ｆ部１５で受信され、汎用ネットワーク伝送Ｉ／Ｆ部１６で受信され、制御部１７に入力される。制御部１７は、各伝送データを演算処理し、両者が同一内容であると判断すると、一方の伝送データに基づいて制御端末器７の動作状態を制御するようにしている。
【００４６】
また、監視端末装置３の制御部２３は、伝送線通信Ｉ／Ｆ部１９および汎用ネットワーク通信Ｉ／Ｆ部２０がそれぞれ受信した制御端末器７の監視データを演算処理して、両者が同一内容であると判断すると、一方の監視データを記憶部２４に記憶させるようにしている。
【００４７】
このように、監視端末装置３は、伝送線４および汎用ネットワーク８の両方に接続して使用可能となっている。
【図面の簡単な説明】
【００４８】
【図１】本発明の第１の実施形態を示す照明制御システムの構成ブロック図。
【図２】同じく、中央制御装置の構成ブロック図。
【図３】同じく、監視端末装置の構成ブロック図。
【図４】本発明の第２の実施形態を示す照明制御システムの構成ブロック図。
【符号の説明】
【００４９】
１，２８…照明制御システム
３…監視端末装置
１９…伝送線通信インターフェース部
２０…汎用ネットワーク通信インターフェース部
２１…表示部
２２…入力部
２３…制御部
【図１】
2006094223.tif 000003
【図２】
2006094223.tif 000004
【図３】
2006094223.tif 000005
【図４】
2006094223.tif 000006